【手続補正書】
【提出日】平成24年5月25日(2012.5.25)
【手続補正１】
【補正対象書類名】特許請求の範囲
【補正対象項目名】全文
【補正方法】変更
【補正の内容】
【特許請求の範囲】
【請求項１】
通信事業者自身の通信網に対する内線発信であるか当該通信事業者自身ではない通信網に対する内線発信であるかを仕分けるＳＩＰサーバと、通信事業者の通信網毎に内線発信を仕分ける共通ＳＩＰサーバとが通信可能に接続された通信制御システムであって、
前記ＳＩＰサーバは、
前記通信事業者自身の通信網の内線番号を記憶する第１の記憶手段と、
内線発信である着信先番号を受信する第１の受信手段と、
前記第１の受信手段で受信された着信先番号が、前記第１の記憶手段に記憶されている前記内線番号であるかいなかを判断する第１の判断手段と、
前記第１の判断手段により、前記第１の記憶手段に記憶されている内線番号ではないと判断された場合に、前記着信先番号を前記共通ＳＩＰサーバに送信し、かつ前記第１の記憶手段に記憶されている内線番号であると判断された場合に、前記着信先番号に従って前記通信事業者自身の通信網の着信先に着信すべく着信要求する第１の送信手段と、
を備え、
前記共通ＳＩＰサーバは、
前記共通ＳＩＰサーバにより内線発信が仕分けられる通信事業者の通信網の内線番号を記憶する第２の記憶手段と、
前記第１の送信手段により送信された着信先番号を受信する第２の受信手段と、
前記第２の受信手段で受信された着信先番号が、前記第２の記憶手段に記憶されているかを判断する第２の判断手段と、
前記第２の判断手段により前記第２の受信手段が受信した着信先番号が前記第２の記憶手段に記憶されていると判断された場合に、前記第２の受信手段が受信した着信先番号に対応する通信事業者の通信網のＳＩＰサーバに前記第２の受信手段が受信した着信先番号を送信する第２の送信手段と、
を備えることを特徴とする通信制御システム。
【請求項２】
前記第２の送信手段は、前記第２の受信手段が受信した着信先番号を、前記第２の受信手段が受信したＳＩＰサーバではないＳＩＰサーバに送信することを特徴とする請求項１に記載の通信制御システム。
【請求項３】
前記第２の記憶手段は、前記内線発信を仕分けられる通信事業者の通信網の内線番号を、通信事業者の通信網毎に分けて管理し、
前記第２の送信手段は、前記通信網毎に分けた内線番号から、前記第２の受信手段が受信した着信先番号に対応する通信事業者の通信網のＳＩＰサーバを識別し、前記第２の受信手段が受信した着信先番号を送信することを特徴とする請求項１または請求項２に記載の通信制御システム。
【請求項４】
前記第２の記憶手段が記憶する前記内線発信を仕分けられる通信事業者の通信網の内線番号は重複しない内線番号であることを特徴とする請求項１乃至請求項３のいずれか１項に記載の通信制御システム。
【請求項５】
通信事業者自身の通信網に対する内線発信であるか当該通信事業者自身ではない通信網に対する内線発信であるかを仕分けるＳＩＰサーバと、通信事業者の通信網毎に内線発信を仕分ける共通ＳＩＰサーバとが通信可能に接続された通信制御システムの制御方法であって、
前記ＳＩＰサーバは、
前記通信事業者自身の通信網の内線番号を記憶する第１の記憶手段を備え、
前記ＳＩＰサーバの第１の受信手段が、内線発信である着信先番号を受信する第１の受信工程と、
前記ＳＩＰサーバの第１の判断手段が、前記第１の受信工程で受信された着信先番号が、前記第１の記憶手段に記憶されている前記内線番号であるかいなかを判断する第１の判断工程と、
前記ＳＩＰサーバの第１の送信手段が、前記第１の判断工程により、前記第１の記憶手段に記憶されている内線番号ではないと判断された場合に、前記着信先番号を前記共通ＳＩＰサーバに送信し、かつ前記第１の記憶手段に記憶されている内線番号であると判断された場合に、前記着信先番号に従って前記通信事業者自身の通信網の着信先に着信すべく着信要求する第１の送信工程と、
を含み、
前記共通ＳＩＰサーバは、
前記共通ＳＩＰサーバにより内線発信を仕分けられる通信事業者の通信網の内線番号を記憶する第２の記憶手段を備え、
前記共通ＳＩＰサーバの第２の受信手段が、前記第１の送信工程により送信された着信先番号を受信する第２の受信工程と、
前記共通ＳＩＰサーバの第２の判断手段が、前記第２の受信工程で受信された着信先番号が、前記第２の記憶手段に記憶されているかを判断する第２の判断工程と、
前記共通ＳＩＰサーバの第２の送信手段が、前記第２の判断工程により前記第２の受信工程が受信した着信先番号が前記第２の記憶手段に記憶されていると判断された場合に、前記第２の受信工程が受信した着信先番号に対応する通信事業者の通信網のＳＩＰサーバに前記第２の受信工程が受信した着信先番号を送信する第２の送信工程と、
を含むことを特徴とする制御方法。
【請求項６】
通信事業者自身の通信網に対する内線発信であるか当該通信事業者自身ではない通信網に対する内線発信であるかを仕分けるＳＩＰサーバと、通信事業者の通信網毎に内線発信を仕分ける共通ＳＩＰサーバとが通信可能に接続された通信制御システムで読み取り実行可能なプログラムであって、
前記ＳＩＰサーバを、
前記通信事業者自身の通信網の内線番号を記憶する第１の記憶手段と、
内線発信である着信先番号を受信する第１の受信手段と、
前記第１の受信手段で受信された着信先番号が、前記第１の記憶手段に記憶されている前記内線番号であるかいなかを判断する第１の判断手段と、
前記第１の判断手段により、前記第１の記憶手段に記憶されている内線番号ではないと判断された場合に、前記着信先番号を前記共通ＳＩＰサーバに送信し、かつ前記第１の記憶手段に記憶されている内線番号であると判断された場合に、前記着信先番号に従って前記通信事業者自身の通信網の着信先に着信すべく着信要求する第１の送信手段と、
して機能させ、
前記共通ＳＩＰサーバを、
前記共通ＳＩＰサーバにより内線発信を仕分けられる通信事業者の通信網の内線番号を記憶する第２の記憶手段と、
前記第１の送信手段により送信された着信先番号を受信する第２の受信手段と、
前記第２の受信手段で受信された着信先番号が、前記第２の記憶手段に記憶されているかを判断する第２の判断手段と、
前記第２の判断手段により前記第２の受信手段が受信した着信先番号が前記第２の記憶手段に記憶されていると判断された場合に、前記第２の受信手段が受信した着信先番号に対応する通信事業者の通信網のＳＩＰサーバに前記第２の受信手段が受信した着信先番号を送信する第２の送信手段と、
して機能させることを特徴とするプログラム。
【請求項７】
通信事業者の通信網毎に内線発信を仕分け、当該内線発信を仕分ける通信事業者の通信網の内線番号を記憶する第１の記憶手段に、受信した着信先番号が記憶されている場合には当該着信先番号に対応する通信事業者の通信網のＳＩＰサーバに当該着信先番号を送信する、共通ＳＩＰサーバと通信可能に接続され、
通信事業者自身の通信網に対する内線発信であるか当該通信事業者自身ではない通信網に対する内線発信であるかを仕分けるＳＩＰサーバであって、
前記通信事業者自身の通信網の内線番号を記憶する第２の記憶手段と、
内線発信である着信先番号を受信する受信手段と、
前記受信手段で受信された着信先番号が、前記第２の記憶手段に記憶されている前記内線番号であるかいなかを判断する判断手段と、
前記判断手段により、前記第２の記憶手段に記憶されている内線番号ではないと判断された場合には前記受信手段で受信された着信先番号を前記共通ＳＩＰサーバに送信し、かつ前記第２の記憶手段に記憶されている内線番号であると判断された場合には前記受信手段で受信された着信先番号に従って前記通信事業者自身の通信網の着信先に着信すべく着信要求する送信手段と、
を備えることを特徴とするＳＩＰサーバ。
【請求項８】
通信事業者の通信網毎に内線発信を仕分け、当該内線発信を仕分ける通信事業者の通信網の内線番号を記憶する第１の記憶手段に、受信した着信先番号が記憶されている場合には当該着信先番号に対応する通信事業者の通信網のＳＩＰサーバに当該着信先番号を送信する、共通ＳＩＰサーバと通信可能に接続され、
通信事業者自身の通信網に対する内線発信であるか当該通信事業者自身ではない通信網に対する内線発信であるかを仕分けるＳＩＰサーバの制御方法であって、
前記通信事業者自身の通信網の内線番号を記憶する第２の記憶手段を備え、
前記ＳＩＰサーバの受信手段が、内線発信である着信先番号を受信する受信工程と、
前記ＳＩＰサーバの判断手段が、前記受信工程で受信された着信先番号が、前記第２の記憶手段に記憶されている前記内線番号であるかいなかを判断する判断工程と、
前記ＳＩＰサーバの送信手段が、前記判断工程により、前記第２の記憶手段に記憶されている内線番号ではないと判断された場合には前記受信工程で受信された着信先番号を前記共通ＳＩＰサーバに送信し、かつ前記第２の記憶手段に記憶されている内線番号であると判断された場合には前記受信工程で受信された着信先番号に従って前記通信事業者自身の通信網の着信先に着信すべく着信要求する送信工程と、
を含むことを特徴とする制御方法。
【請求項９】
通信事業者の通信網毎に内線発信を仕分け、当該内線発信を仕分ける通信事業者の通信網の内線番号を記憶する第１の記憶手段に、受信した着信先番号が記憶されている場合には当該着信先番号に対応する通信事業者の通信網のＳＩＰサーバに当該着信先番号を送信する、共通ＳＩＰサーバと通信可能に接続され、
通信事業者自身の通信網に対する内線発信であるか当該通信事業者自身ではない通信網に対する内線発信であるかを仕分けるＳＩＰサーバで読み取り実行可能なプログラムであって、
前記ＳＩＰサーバを、
前記通信事業者自身の通信網の内線番号を記憶する第２の記憶手段と、
内線発信である着信先番号を受信する受信手段と、
前記受信手段で受信された着信先番号が、前記第２の記憶手段に記憶されている前記内線番号であるかいなかを判断する判断手段と、
前記判断手段により、前記第２の記憶手段に記憶されている内線番号ではないと判断された場合には前記受信手段で受信された着信先番号を前記共通ＳＩＰサーバに送信し、かつ前記第２の記憶手段に記憶されている内線番号であると判断された場合には前記受信手段で受信された着信先番号に従って前記通信事業者自身の通信網の着信先に着信すべく着信要求する送信手段と、
して機能させることを特徴とするプログラム。
【請求項１０】
通信事業者自身の通信網に対する内線発信であるか当該通信事業者自身ではない通信網に対する内線発信であるかを仕分け、前記通信事業者自身の通信網の内線番号を記憶する第１の記憶手段に、受信した着信先番号が記憶されていない場合には当該着信先番号を前記共通ＳＩＰサーバに送信し、かつ記憶されている場合には当該着信先番号に従って前記通信事業者自身の通信網の着信先に着信すべく着信要求する、ＳＩＰサーバと通信可能に接続され、
通信事業者の通信網毎に内線発信を仕分ける共通ＳＩＰサーバであって、
前記共通ＳＩＰサーバにより内線発信が仕分けられる通信事業者の通信網の内線番号を記憶する第２の記憶手段を備え、
前記送信された着信先番号を受信する受信手段と、
前記受信手段で受信された着信先番号が、前記第２の記憶手段に記憶されているかを判断する判断手段と、
前記判断手段により前記受信手段が受信した着信先番号が前記第２の記憶手段に記憶されていると判断された場合に、前記受信手段が受信した着信先番号に対応する通信事業者の通信網のＳＩＰサーバに前記受信手段が受信した着信先番号を送信する送信手段と、
を備えることを特徴とする共通ＳＩＰサーバ。
【請求項１１】
通信事業者自身の通信網に対する内線発信であるか当該通信事業者自身ではない通信網に対する内線発信であるかを仕分け、前記通信事業者自身の通信網の内線番号を記憶する第１の記憶手段に、受信した着信先番号が記憶されていない場合には当該着信先番号を前記共通ＳＩＰサーバに送信し、かつ記憶されている場合には当該着信先番号に従って前記通信事業者自身の通信網の着信先に着信すべく着信要求する、ＳＩＰサーバと通信可能に接続され、
通信事業者の通信網毎に内線発信を仕分ける共通ＳＩＰサーバの制御方法であって、
前記共通ＳＩＰサーバにより内線発信が仕分けられる通信事業者の通信網の内線番号を記憶する第２の記憶手段を備え、
前記共通ＳＩＰサーバの受信手段が、前記送信された着信先番号を受信する受信工程と、
前記共通ＳＩＰサーバの判断手段が、前記受信工程で受信された着信先番号が、前記第２の記憶手段に記憶されているかを判断する判断工程と、
前記共通ＳＩＰサーバの送信手段が、前記判断工程により前記受信工程が受信した着信先番号が前記第２の記憶手段に記憶されていると判断された場合に、前記受信工程が受信した着信先番号に対応する通信事業者の通信網のＳＩＰサーバに前記受信工程が受信した着信先番号を送信する送信工程と、
を含むことを特徴とする制御方法。
【請求項１２】
通信事業者自身の通信網に対する内線発信であるか当該通信事業者自身ではない通信網に対する内線発信であるかを仕分け、前記通信事業者自身の通信網の内線番号を記憶する第１の記憶手段に、受信した着信先番号が記憶されていない場合には当該着信先番号を前記共通ＳＩＰサーバに送信し、かつ記憶されている場合には当該着信先番号に従って前記通信事業者自身の通信網の着信先に着信すべく着信要求する、ＳＩＰサーバと通信可能に接続され、
通信事業者の通信網毎に内線発信を仕分ける共通ＳＩＰサーバで読み取り実行可能なプログラムであって、
前記共通ＳＩＰサーバを、
前記共通ＳＩＰサーバにより内線発信が仕分けられる通信事業者の通信網の内線番号を記憶する第２の記憶手段を備え、
前記送信された着信先番号を受信する受信手段と、
前記受信手段で受信された着信先番号が、前記第２の記憶手段に記憶されているかを判断する判断手段と、
前記判断手段により前記受信手段が受信した着信先番号が前記第２の記憶手段に記憶されていると判断された場合に、前記受信手段が受信した着信先番号に対応する通信事業者の通信網のＳＩＰサーバに前記受信手段が受信した着信先番号を送信する送信手段と、
して機能させることを特徴とするプログラム。
【手続補正２】
【補正対象書類名】明細書
【補正対象項目名】発明の名称
【補正方法】変更
【補正の内容】
【発明の名称】通信制御システム、ＳＩＰサーバ、共通ＳＩＰサーバ。
【手続補正３】
【補正対象書類名】明細書
【補正対象項目名】０００１
【補正方法】変更
【補正の内容】
【０００１】
通信制御システム、ＳＩＰサーバ、共通ＳＩＰサーバ及び制御方法とプログラムに関する。
【手続補正４】
【補正対象書類名】明細書
【補正対象項目名】００１５
【補正方法】変更
【補正の内容】
【００１５】
このさらなる課題に対して、本願発明は、複数の通信事業者が提供する外線電話と内線電話を接続するマルチなサービスを導入した企業において、他の社員に対して内線発信要求をする場合に、通信事業者個別のサービス毎に管理すべき内線発信要求かいなかの判断をし、受信した内線発信要求が自身の提供するサービス網内部のみで接続すべき内線発信要求か他社の提供するサービス網に外部送信すべき内線発信要求であるかを仕分けする通信事業者毎のサーバを配置し、更にその上流に、通信事業者毎のサーバから内線発信要求を受信した場合に、受信した内線発信要求が対応する通信事業者に内線発信要求を仕分けする共通サーバを配置することで、異なる通信事業者各社の通信網から要求された内線発信要求を通信事業者自身の通信網と他社の通信網にルーティングできる仕組みを提供することを目的とする。
【手続補正５】
【補正対象書類名】明細書
【補正対象項目名】００１６
【補正方法】変更
【補正の内容】
【００１６】
本願発明は、通信事業者自身の通信網に対する内線発信であるか当該通信事業者自身ではない通信網に対する内線発信であるかを仕分けるＳＩＰサーバと、通信事業者の通信網毎に内線発信を仕分ける共通ＳＩＰサーバとが通信可能に接続された通信制御システムであって、前記ＳＩＰサーバは、前記通信事業者自身の通信網の内線番号を記憶する第１の記憶手段と、内線発信である着信先番号を受信する第１の受信手段と、前記第１の受信手段で受信された着信先番号が、前記第１の記憶手段に記憶されている前記内線番号であるかいなかを判断する第１の判断手段と、前記第１の判断手段により、前記第１の記憶手段に記憶されている内線番号ではないと判断された場合に、前記着信先番号を前記共通ＳＩＰサーバに送信し、かつ前記第１の記憶手段に記憶されている内線番号であると判断された場合に、前記着信先番号に従って前記通信事業者自身の通信網の着信先に着信すべく着信要求する第１の送信手段と、を備え、前記共通ＳＩＰサーバは、前記共通ＳＩＰサーバにより内線発信が仕分けられる通信事業者の通信網の内線番号を記憶する第２の記憶手段と、前記第１の送信手段により送信された着信先番号を受信する第２の受信手段と、前記第２の受信手段で受信された着信先番号が、前記第２の記憶手段に記憶されているかを判断する第２の判断手段と、前記第２の判断手段により前記第２の受信手段が受信した着信先番号が前記第２の記憶手段に記憶されていると判断された場合に、前記第２の受信手段が受信した着信先番号に対応する通信事業者の通信網のＳＩＰサーバに前記第２の受信手段が受信した着信先番号を送信する第２の送信手段と、を備えることを特徴とする。
【手続補正６】
【補正対象書類名】明細書
【補正対象項目名】００１７
【補正方法】変更
【補正の内容】
【００１７】
また、前記第２の送信手段は、前記第２の受信手段が受信した着信先番号を、前記第２の受信手段が受信したＳＩＰサーバではないＳＩＰサーバに送信することを特徴とする。
【手続補正７】
【補正対象書類名】明細書
【補正対象項目名】００１８
【補正方法】変更
【補正の内容】
【００１８】
また、前記第２の記憶手段は、前記内線発信を仕分けられる通信事業者の通信網の内線番号を、通信事業者の通信網毎に分けて管理し、前記第２の送信手段は、前記通信網毎に分けた内線番号から、前記第２の受信手段が受信した着信先番号に対応する通信事業者の通信網のＳＩＰサーバを識別し、前記第２の受信手段が受信した着信先番号を送信することを特徴とする。
【手続補正８】
【補正対象書類名】明細書
【補正対象項目名】００１９
【補正方法】変更
【補正の内容】
【００１９】
また、前記第２の記憶手段が記憶する前記内線発信を仕分けられる通信事業者の通信網の内線番号は重複しない内線番号であることを特徴とする。
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】変更
【補正の内容】
【００２１】
本願発明により、複数の通信事業者が提供する外線電話と内線電話を接続するマルチなサービスを導入した企業において、他の社員に対して内線発信要求をする場合に、通信事業者個別のサービス毎に管理すべき内線発信要求かいなかの判断をし、受信した内線発信要求が自身の提供するサービス網内部のみで接続すべき内線発信要求か他社の提供するサービス網に外部送信すべき内線発信要求であるかを仕分けする通信事業者毎のサーバを配置し、更にその上流に、通信事業者毎のサーバから内線発信要求を受信した場合に、受信した内線発信要求が対応する通信事業者に内線発信要求を仕分けする共通サーバを配置することで、異なる通信事業者各社の通信網から要求された内線発信要求を通信事業者自身の通信網と他社の通信網にルーティングできる仕組みを提供することができる。